(57)【要約】【課題】走行面に印を生成することができるキックボードを提供する。【解決手段】キックボードが操作されている面に印装置が接触しない第１の位置から、キックボードが操作されている面に印装置が接触する第２の位置に動くことができる印装置を有するキックボードである。キックボードは、印アセンブリ１０８を回転可能に支持するキックボード本体２０を含む。印アセンブリ１０８は、走行面に摩擦接触したときに走行面に印１１０を生成する印部分を含む。印アセンブリ１０８は、使用者が届くことができ、乗っている間に印アセンブリ１０８を作動することができる足作動部分をも含む。１つの構成においては、印部分は、走行面に摩擦接触するときに走行面に印１１０を生成する印部材を有する取り外し可能なカートリッジ１０２を含む。【選択図】図６
2010099476.tif 000002
【特許請求の範囲】
【請求項１】
足置き面を有するデッキと、操作軸の周りにデッキに対して回転可能な操作レバーアセンブリと、それぞれが本体により支持され、軸の周りに回転可能な少なくとも１つの前輪および少なくとも１つの後輪であって、前輪および後輪の間にデッキが延びる前輪および後輪と、デッキに隣接し、使用者の足が届くことができ、本体により回転可能に支持されている火花または印アセンブリとを含む本体を備え、
火花または印アセンブリは、足作動部分と、走行面に摩擦接触したときに火花または印を生成するように構成されている１つ以上の火花または印部材を備える火花または印部分と、火花または印部分が走行面に接触しない第１の位置と、火花または印部材が走行面に接触する第２の位置とを含み、
火花または印アセンブリは、第１の位置に向かって付勢され、使用者が足作動部分を作動することに応じて第２の位置に向かって動くことができることを特徴とする、キックボード。
【請求項２】
火花または印部分は、火花または印部材を保持するように構成されているカートリッジ本体を含む取り外し可能なカートリッジを備えることを特徴とする、請求項１に記載のキックボード。
【請求項３】
カートリッジは、火花または印アセンブリにカートリッジを取り付ける少なくとも１つの弾性を有する留め金具を含むことを特徴とする、請求項２に記載のキックボード。
【請求項４】
カートリッジは、Ｌ字形状の窪みを備え、カートリッジのＬ字形状の窪みにスライド可能に連結することができるＬ字形状の部分を備える火花または印部分に取り付けられることを特徴とする、請求項２に記載のキックボード。
【請求項５】
火花または印アセンブリは、２つの枠部材を含み、
枠部材は、使用者の足が到達できる足パッドを含む足作動部分に連結されていることを特徴とする、請求項１に記載のキックボード。
【請求項６】
火花または印アセンブリは、本体に回転可能に連結され、後輪の軸の周りに回転することを特徴とする、請求項１に記載のキックボード。
【請求項７】
キックボードは折り畳めるキックボードであることを特徴とする、請求項１に記載のキックボード。
【請求項８】
火花または印部分は、火花および印部材を備えることを特徴とする、請求項１に記載のキックボード。
【請求項９】
１つ以上の火花または印部材は、第２の材料により少なくとも部分的に囲まれている印材料を備えることを特徴とする、請求項１に記載のキックボード。
【請求項１０】
１つ以上の火花または印部材は、可聴できる音を生成するように構成されていることを特徴とする、請求項１に記載のキックボード。
【請求項１１】
１つ以上の火花または印部材は、チョークを含むことを特徴とする、請求項１に記載のキックボード。
【請求項１２】
キックボードの火花または印アセンブリに取り外し可能に連結されて構成されている取り外し可能なカートリッジであって、
走行面に接触したときに火花または印を生成するように構成されている接触部分と、カートリッジ本体をキックボードの火花または印アセンブリに連結するように構成されている少なくとも１つの連結部分とを含むカートリッジ本体を備え、
少なくとも１つの連結部分は、カートリッジを火花または印アセンブリに強固に連結する弾性を有する留め金具を含み、カートリッジが選択的に火花または印アセンブリから取り外されることを可能にすることを特徴とする、取り外し可能なカートリッジ。
【請求項１３】
少なくとも１つの連結部分は、火花または印アセンブリにスライド可能に連結するように構成されている窪みを含むことを特徴とする、請求項１２に記載の取り外し可能なカートリッジ。
【請求項１４】
少なくとも１つの連結部分の窪みは、Ｌ字形状を有することを特徴とする、請求項１３に記載の取り外し可能なカートリッジ。
【請求項１５】
カートリッジ本体は、磨耗指示器を含むことを特徴とする、請求項１２に記載の取り外し可能なカートリッジ。
【発明の詳細な説明】
【技術分野】
【０００１】
発明の実施形態は、概してキックボードに関連し、より特定的には火花生成装置を備えるキックボードに関する。
【背景技術】
【０００２】
優先権の情報
この出願は、２００８年１０月２２日に出願された米国特許出願Ｎｏ．１２／２５６２５５の一部継続出願であり、その出願の全体の内容が、ここに明示的に参照により援用される。
【０００３】
キックボードに乗ることは、人気のある娯楽活動である。キックボードは、多くの年齢層の間で人気が高くなってきており、多くの様々なキックボードのバリエーションおよびキックボードの設計がある。慣例的なキックボードは、概して、少なくとも２つの車輪およびいくつかの種類のハンドル操作機構を備える。他のキックボードの設計は、３つ以上の車輪を含む。キックボードの設計は、より小さくおよび使い易くもなってきている。キックボードの人気が高まるにつれて、キックボードの付属品に対する要求もかなり増加してきている。
【発明の概要】
【発明が解決しようとする課題】
【０００４】
火花発生は、いくつかの娯楽装置および娯楽活動に加えられてきた１つの特徴である。これらの活動および装置の多くは、設計および構造に火花発生器を統合している。スケートボード、ローラースケートおよびローラーブレードは、対応する活動を行っている期間に、使用者が火花を生成できるように設計されてきている。これらのいくつかの先行技術の構成は、装置に固定された方法により火花発生材料を取り付けている。このことは、火花を生成するために、装置全体が調整または動かされることを要求している。例えば、ローラーブレードおよびスケートボードにおいては、使用者は、火花材料が係合し火花を生成するために、接触面から前輪を持ち上げなければならない。キックボードにおいては、火花を生成するために、走行面（キックボードが乗っている面）から前側端部または前輪を持ちあげることは非常に困難であろう。キックボードの制御を維持するために、乗り手が地面または走行面に、全ての車輪を接触させて維持することが概して望ましい。それ故に、娯楽の品目における火花生成のための先行技術における現在の構成を、キックボードに使用することは不適当である。同じ理由から、現在の構成は、走行面に印（しるし：marking）を生成するためにも不適当である。
【課題を解決するための手段】
【０００５】
本発明のキックボードの好ましい形態は、使用者が走行面からキックボードの車輪を持ち上げることなしに、火花または印を生成できるように構成されている。使用者は、車輪と走行面との間の接触を維持しながら同時に、火花または印を生成することができる。さらに、好ましい形態では、使用者が操作レバーから彼又は彼女の手を離さずに、彼又は彼女の足で火花アセンブリを便利に動かすことができる。さらに、好ましい形態では、使用者が火花アセンブリを動かすために、彼又は彼女の足を大きな距離で動かすことが要求されないように、火花アセンブリが使用者の足に隣接して配置されるように構成される。他の好ましい形態においては、使用者は、彼又は彼女の手を操作レバーから離さずに、彼又は彼女の足にて印アセンブリを便利に動かすことができる。
【０００６】
本発明のキックボードの形態では、デッキ、足置き面およびデッキに対して回転可能な操作レバーアセンブリを有する本体を含んで構成されている。キックボードは、少なくとも本体により支持されている前輪および後輪を含む。デッキは、前輪および後輪の間で延びている。火花または印アセンブリは、本体によって回転可能に支持され、デッキに隣接している。火花または印アセンブリは、足作動部分と、走行面に接触摩擦するときに、火花または印を生成するように構成された１つ以上の火花または印部材を有する火花または印部分とを含む。火花または印アセンブリは、火花または印部分が走行面に接触しない第１の位置を有する。第２の位置においては、火花または印部材は、走行面に接触する。火花または印アセンブリは、第１の位置に向かって付勢され、足作動部分に、使用者が働きかけることに応答して、第２の位置に動くことができる。好ましくは、火花または印部分は、火花または印部材を保持するように構成されているカートリッジ本体を含む取り外し可能なカートリッジを備える。
【０００７】
好ましい形態では、キックボードは、火花を生成するように構成され、デッキおよび回転可能な操作レバーアセンブリを有する本体を含む。本体は、１つ以上の車輪と、車輪同士の間に延びるデッキとを支持する。キックボードは、足作動部分と、走行面に摩擦接触したときに火花を放出するように構成されている火花部材を有する火花部分とを含む火花アセンブリも回転可能に支持する。火花アセンブリは、火花部分が走行面に接触しない第１の位置に向かって付勢されている。火花アセンブリは、火花部材が走行面に接触する第２の位置に動くことができる。使用者は、火花アセンブリの足作動部分を動かすことにより、火花アセンブリを第１の位置から第２の位置に動かすことができる。
【０００８】
もう１つの好ましい形態においては、キックボードは、デッキと、ヘッドチューブに回転可能に支持されている操作アセンブリとを有する本体を含む。デッキは、後側部分を有する足の踏み台を含み、支持アセンブリによりヘッドチューブに接続されている。キックボードは、本体により支持され、通常の使用において走行面に置かれる１つ以上の車輪を含む。キックボードは、本体により支持され、後輪軸の周りに回転可能な後輪を含む。火花機構は、回転可能に本体に連結され、デッキの後側部分に隣接している。火花機構は、足作動部分と、作動したときに走行面に接触する火花生成部分と、２つのＴ字形状をした枠部材とを含む。枠部材は、足の部分および火花部分により相互に接続されている。枠部材は、また、本体により回転可能に支持され、後輪軸の周りに回転可能である。
【０００９】
もう１つの好ましい形態においては、キックボードは、印を生成するように構成され、デッキと、回転可能な操作レバーアセンブリとを有する本体を含む。本体は、１つ以上の車輪と、車輪同士の間に延びるデッキとを支持する。キックボードは、また、足作動部分と、走行面に摩擦接触したときに走行面に印を生成するように構成された印部材を有する印部分とを含む印アセンブリを回転可能に支持する。印アセンブリは、印部分が走行面に接触しない第１の位置に向かって付勢されている。印アセンブリは、印部材が走行面に接触する第２の位置に動くことができる。使用者は、印アセンブリの足作動部分を動かすことにより、印アセンブリを第１の位置から第２の位置に動かすことができる。
【００１０】
もう１つの好ましい形態においては、キックボードは、デッキと、ヘッドチューブにより回転可能に支持されているハンドル操作アセンブリとを有する本体を含む。デッキは、後部分を有する足踏み台を含み、支持アセンブリによりヘッドチューブに接続されている。キックボードは、本体により支持され、通常の使用において走行面に置かれる１つ以上の車輪を含む。キックボードは、本体により支持され、後輪軸の周りに回転可能な後輪を含む。印機構は、本体に回転可能に連結され、デッキの後側部分に隣接している。印機構は、足作動部分と、作動したときに走行面に接触する印生成部分と、２つのＴ字形状の枠部材とを含む。枠部材は、足部分と印部分とにより相互に接続されている。枠部材は、本体により回転可能に支持され、後輪軸の周りに回転可能でもある。
【００１１】
好ましい形態においては、取り外し可能なカートリッジは、キックボードの火花または印アセンブリに取り外し可能に連結されている。カートリッジは、走行面に接触したときに火花または印を生成するように構成されている接触部分を有するカートリッジ本体を含む。カートリッジ本体は、カートリッジ本体をキックボードの火花または印アセンブリに連結するように構成されている少なくとも１つの連結部分をも含む。少なくとも１つの連結部分は、カートリッジを火花または印アセンブリに強固に連結し、カートリッジが火花または印アセンブリから選択的に取り外すことができる弾性を有する留め金具を含む。
【００１２】
もう１つの好ましい形態においては、取り外し可能なカートリッジは、キックボードの印アセンブリに取り外し可能に連結されるように構成されている。カートリッジは、走行面に接触したときに走行面に印を生成するように構成されている接触部分を有するカートリッジ本体を含む。好ましくは、カートリッジ本体は、カートリッジ本体を印アセンブリに連結するように構成された連結部分をも含む。連結部分は、カートリッジを印アセンブリに強固に連結し、カートリッジが選択的に印アセンブリから取り外すことができる弾性を有する留め金具を含む。代替的には、カートリッジは、走行面に接触したときに火花を生成するように構成できる。
【００１３】
好ましい形態においては、前述したキックボードを用いる方法をも含む。印を生成する好ましい方法は、前輪および後輪が面に沿って回転するように面に沿ってキックボードを進ませ、キックボードが面に沿って移動しているときに、印部分が走行面に接触するように、印アセンブリの作動部分を押圧することを含む。さらに好ましい形態では、上述のキックボードを製造する方法を含む。
【図面の簡単な説明】
【００１４】
【図１】ある種の本発明の特徴、外観および利点を有する火花生成装置を盛り込んだキックボードの好ましい形態の斜視図である。
【図２】図１のキックボードの本体に支持されている火花生成装置の斜視図である。
【図３】図１のキックボードの残りの部分が分離された図２の火花生成装置の斜視図である。
【図４】火花生成装置の残りの部分から分離された取り外し可能な／取り替え可能な火花生成カートリッジを有する図２および図３の火花アセンブリを説明する。
【図５】印アセンブリの好ましい形態の斜視図を説明する。
【図６】図５の印装置を盛り込んだがキックボードの好ましい形態の斜視図を説明する。
【発明を実施するための形態】
【００１５】
本発明の上述のおよびその他の特徴、外観および利点は、好ましい形態の図面を参照して以下に記述されており、以下の記述は本発明を説明することを意図しており、限定するものではない。図面は４つの図を含んでいる。
【００１６】
図１は、本発明のある種の特徴、外観および利点を有するキックボードを説明する。キックボードは、デッキ２６および操作レバーアセンブリ２４を含む本体２０を備える。好ましくは、デッキ２６の上面は、使用者の片足または両足を支持するように構成された足置き面２３を含む。キックボードは、本体２０より支持された１つ以上の車輪２２を含む。説明されるキックボードは、互いに離れた１対の車輪を含み、それらの間にデッキ２６が延びている。好ましくは、車輪２２は、説明されるように、同一の平面に配列され、デッキ２６の互いに反対側の端部に位置している。説明されるように、キックボードの好ましい形態は、また、操作レバーアセンブリ２４がヘッドチューブ２５の内部で回転または旋回することができるように、操作レバーアセンブリ２４を回転可能に支持するヘッドチューブ２５を含む。好ましくは、操作レバー２７の高さは、操作レバーアセンブリ２４の伸縮部分を、デッキ２６に向かう側または離れる側に互いに滑らせることにより、調整することができる。本体は、ヘッドチューブ２５とデッキ２６との間に支持アセンブリ２９を含む。説明される構成においては、支持アセンブリ２９は、操作レバーアセンブリ２４がデッキ２６に対して折り曲げられることを可能にする。１つの形態においては、本体２０は、摩耗部材がキックボードの走行面に選択的に接触して置かれ、その面に摩擦接触することに応じて、所望の身体的影響（例えば、視覚的または聴覚的）を生じるように配置される１つ以上の摩耗部材をも支持する。１つの実施形態においては、身体的影響を生成する摩耗部材は、火花生成装置、火花アセンブリ３０または火花部分３４である。代替的に、本体２０は、印アセンブリおよび印部分を有する印装置を支持することができる。もう１つの形態においては、キックボードは、火花生成の機能および印をつける機能の両方を有する装置を支持する。火花生成装置およびそのような装置を支持するキックボードの形態は、図１から図４を参照して以下に記述される。印装置およびそのような装置を支持するキックボードの形態は、図５および図６を参照して以下に記述される。説明される構成においては、摩耗部材は、キックボードのデッキ２６に関して回転可能な構成部品により支持されているが、しかし、摩耗部材がデッキ２６またはキックボードの他の部分に対して固定される構成もまた可能である。
【００１７】
図２は、キックボードの本体２０により支持される火花アセンブリ３０の好ましい形態を説明する。火花アセンブリは、概して、火花部分３４と、足作動部分３２とを含む。火花アセンブリ３０は、キックボードの本体２０に関して回転するために支持されており、使用者または乗り手の足が届くように、デッキに隣接して配置されている。火花部分３４が摩擦しながら走行面に接触するときに、火花が生成される。好ましくは、火花アセンブリ３０は、火花部分３４が走行面に接触しない位置に向かって付勢されている。火花アセンブリ３０が、走行面または車輪２２の置かれる面に火花部分３４が摩擦しながら接触する位置に移動できることも望ましい。図１および図２の両方の図は、火花部分３４が車輪２２の置かれる面に接触しない付勢された位置にあるときの火花アセンブリ３０の実施形態を説明している。好ましくは、火花アセンブリ３０は、火花アセンブリを付勢された位置に保持するための適切な付勢部材を含む。説明されるように、付勢部材の１つの実施形態は、火花アセンブリ３０を付勢された位置に保持する形態で、火花アセンブリ３０および本体２０に連結された一対のトーションバネ３５を含む。トーションバネ３５の対は、後輪２２のそれぞれの側に位置している。図３に示されるように、トーションバネ３５は、火花アセンブリ３０が回転する軸５０上に位置している。好ましくは、車輪２２が回転可能に支持されている同一の軸５０上において、トーションバネ３５が支持され、また火花アセンブリ３０が回転する。火花アセンブリ３０の他の適切な付勢機構もまた使われることができる。
【００１８】
図３は、キックボードの残りの部分から分離され、火花部分３４の一部分としての火花部材４３を含むキックボード火花アセンブリ３０を説明する。火花部分３４および／または火花部材４３は、走行面に摩擦接触したときに摩耗する任意の摩耗材料を備えることができる。好ましくは、火花部材４３は、摩耗材料を含み、取り替え可能である。好ましい形態においては、火花部材４３は、適切な火花を生成する材料から形成されており、火花部分３４上の走行面に接触する位置に構成されている。例えば、火花部材４３は、火花部材４３が荒い面に対して擦られたときに火花が生成されるようにセシウム鉄の材料から形成されていてもよい。そのような現象は、自然発火性（pyrophoricity）と言われる。好ましくは、火花部材４３は、カートリッジ４２の窪みの内側に位置している。説明される構成では、窪みおよび火花部材４３は、概して円柱の形状を有し、４つの個々の部材４３が提供されている。しかしながら、例えば、キックボードの幅方向に延びる１つの細長い火花部材４３を提供するように、他の適切な構成もまた可能である。さらに、火花部材４３の他の適切な形状、大きさおよび構造が使われていてもよい。以下に示すように、火花部材４３は、火花を生成する代わりに、または火花を生成するのに加えて、走行面に印を残す印部材に取り替えることができる。
【００１９】
火花アセンブリ３０の好ましい形態においては、火花部材４３は、カートリッジ４２に取り囲まれ、そして火花アセンブリ３０が作動したときに火花部材４３の一部分およびカートリッジ４２が摩耗しながらでも走行面に接触するように、カートリッジの内部に向かって延びる。カートリッジ４２を製造する適切な材料は、ポリプロピレン樹脂やポリエチレン樹脂を含む。更に、他の適切な材料（例えば、他の樹脂またはゴム）も使用されることができる。好ましくは、カートリッジ４２および火花部材４３は、ほぼ同じ割合で摩耗する。このことは、走行面に摩擦接触したときに、火花部分３４が一貫して火花を提供することを確実にする。ある構成においては、カートリッジ４２は、キックボードのブレーキとして機能しても構わない。したがって、そのような構成においては、カートリッジ４２は、好ましくは、カートリッジ４２がキックボードの乗られる面に接触したときに、キックボードの制動を助勢する適切な材料を含む。
【００２０】
しかしながら、好ましくは、キックボードは、火花アセンブリ３０から離れており、キックボードを減速し、または止めることを助勢するように構成されている別の制動機構を含む。好ましくは、キックボードは、キックボードの後側の近傍に位置し、後輪に摩擦を生じながら係合する制動機構を含む。例えば、説明されている構成においては、後輪フェンダー５１は、後輪２２から離れた通常のまたは付勢された位置から、後輪２２に対して制動力を提供するためにフェンダー５１の内側に向かう面が後輪２２に接触する制動位置に向かって動くことができる。そのような構成においては、好ましくは。火花アセンブリ３０は主に火花を生成し、そして、火花を生成し、または火花生成材料の構成部品を支持しように構成されている材料を備え、そして、制動のために大きな摩擦を提供しない。他の可能な構成においては、フェンダー５１（または他の主要な制動機構）と火花アセンブリ３０との両方は、制動機構として動作しても構わない。
【００２１】
もう１つの形態においては、カートリッジ４２それ自体は、火花を生成する材料から形成されることができ、そして、分離した火花部材を用いずに、走行面に摩擦接触したときに火花を生成するように構成されることができる。そのような実施形態においては、カートリッジ４２は、火花を生成するように構成された材料から形成され、もしも所望であれば、制動に役立つように構成されていてもよい。
【００２２】
図４は、火花アセンブリ３０の残りの部分から分離されたカートリッジ４２を有する火花アセンブリ３０を説明する。火花部分３４は、火花アセンブリ３０の残りの部分から取り外し可能に構成されているカートリッジ４２を含む。使用者が全体の火花アセンブリ３０を取り替える代わりに、擦り切れたときにカートリッジ４２を取り替えることができるので、カートリッジは取り外し可能であることが望ましい。カートリッジ４２と走行面との間の摩擦のために、カートリッジ４２は、時折の取り替えが必要であってもよく、場合によっては比較的に頻繁な取り換えであり、どの程度頻繁および／または攻撃的に火花アセンブリ３０が使われているかに依存する。好ましくは、カートリッジ４２は、火花アセンブリ３０から滑って取り外しが可能であり、カートリッジ４２は、カートリッジ４２を火花アセンブリ３０上の位置に固定する弾性を有する留め金具４６を有する。このように、カートリッジ４２を取り替えるために工具を使用する必要性が排除される。
【００２３】
説明されるように、カートリッジ４２は、火花アセンブリ３０の他の構成部品同士の間の支持部材としても機能することができる。好ましくは、火花アセンブリ３０は、３つの延びる腕部分を有するほぼＴ字形状の形態に構成されている２つの枠部材４０を含む。それぞれの枠部材の腕部分の１つは、足作動部分３２に向かって延び、もう１つの腕部分は、火花部分３４に向かって延びる。３つ目の腕部分は、キックボードの本体により回転可能に支持されている。好ましくは、それぞれの枠部材４０は、カートリッジ４２のＬ字形状の窪み５２に対応するＬ字部分４８を含む。枠部材４０のＬ字部分４８により、カートリッジ４２が火花アセンブリ３０にスライド可能に連結されることができる。枠部材４０は、足作動部分３２にも連結されることができる。好ましくは、足作動部分３２は、枠部材４０の間の支持材として機能し、そして、留め具により枠部材４０に連結されている。枠部材４０および火花アセンブリ３０にスライド可能に連結されているときに、カートリッジ４２は、カートリッジ４２の上に位置している留め金具４６により強固に位置が保持される。既に述べたように、留め金具４６は、好ましくは、カートリッジ４２を位置に固定するために、枠部材４０に係合するように構成されている。
【００２４】
好ましくは、火花アセンブリ３０は、足作動部分３２の一部分として、足パッドまたは踏み棒４４を含む。踏み棒４４は、使用者の足に容易に到達できるように構成されている。このことにより、使用者は、キックボードの制御を行っている間に、踏み棒４４を押圧することにより、火花アセンブリ３０を作動することができる。説明される形態においては、使用者が踏み棒４４に圧力を加えることにより足作動部分３２を作動するときに、火花部分３４、特にカートリッジ４２が走行面に接触するように火花アセンブリ３０が回転するように、枠部材４０がキックボードの本体２０に回転可能に連結される。図３において明らかなように、踏み棒４４は、それぞれの枠部材４０の上側端部を受け入れるように構成されている細穴を含む。踏み棒４４は、説明された機械的な留め具のように、適切な連結機構により枠部材４０に固定されている。したがって、低価格、軽量、および強度の大きなアセンブリが製造される。
【００２５】
図４は、カートリッジ４２に組みこまれた摩耗指示器５４も説明する。摩耗指示器５４は、カートリッジ４２が十分に使用され、火花部材４３と共に取り換えが必要な時を使用者に知らせるように構成されている。他の構成においては、摩耗指示器５４は、省略されても良く、または、例えば見ることができる指示線のような別の構造であってもよい。
【００２６】
操作においては、火花アセンブリ３０は、後輪２２の位置に隣接する本体２０より回転可能に支持されている。キックボードが通常乗られている間には、典型的には後輪２２が使用者の足の近くに位置するために、後輪２２に隣接して火花アセンブリ３０または少なくとも足作動部分３２を配置することは有益である。しかしながら、キックボードの形態は、火花アセンブリがキックボードの本体２０に直接的に連結され、または支持されているキックボードに限られない。代わりに、キックボードの形態は、火花アセンブリが本体２０に間接的に支持され、またはキックボードの他の部分により支持されている物を含む。
【００２７】
好ましくは、図２において明らかなように、火花アセンブリ３０は、後輪２２と同じ軸５０の周りに回転するように構成されている。このことは、要求されておらず、そして他の形態においては、火花アセンブリ３０は、後輪以外の本体２０の他の部分により支持されている。しかしながら、火花アセンブリ３０が後輪２２と共にキックボード本体２０に取り付けられ、場合によっては、説明されるように、車輪２２と同じ留め具により取り付けられているので、説明される構成は、部品の総数を削減する利点を有する。他の構成においては、火花アセンブリ３０は、前輪２２に隣接する本体により支持され、またはデッキ２６により支持されることができる。
【００２８】
図１に説明されるように、好ましくは、火花生成キックボードは、回動機構２８を有する折り畳めるキックボードである。好ましくは、回動機構２８は、デッキ２６とヘッドチューブ２５との間に位置している。他の形態においては、回動機構は、本体２０のその他の部分に位置してもよい。回動機構２８により、使用者はキックボードをより便利なおよびより小さな構造に折り畳むことができる。キックボードを折り畳むために、回動機構２８は、操作レバーアセンブリ２４がデッキ２６に向かって移動するように、キックボードの部分が軸の周りに互いに回転することを可能にする。好ましくは、回動機構２８は、ピンおよび２つの凹部６０を含む。ピンは、通常は凹部６０の１つに係合し、そして、キックボードの部分が回動機構２８を介して互いに回転できるように、開放されることができる。一方の凹部６０は、キックボードが真っ直ぐに立ち、乗ることができる位置に対応する。他方の凹部６０は、キックボードが折り畳まれた位置に対応する。好ましくは、キックボードは、係合した位置から係合が解除された位置にピンを移動させるために使用されるレバーを含む。さらには、ばねのような付勢部材は、ピンが凹部６０に並んだときに凹部６０との係合に向かって動くように、通常時に係合される位置に向かってピンを付勢するように提供されていてもよい。しかしながら、火花アセンブリ３０は、折り畳まないキックボード、および他の種類の乗り物に採用されてもよい。
【００２９】
図５は、キックボードにより回転可能に支持されることができる印アセンブリの好ましい形態を説明する。代替的に、印アセンブリは、キックボードにより回転しないように支持されるように構成されることができる。例えば、印アセンブリは、キックボードにより強固に支持され、または、印アセンブリがキックボードに対して直線的に（または任意の他の適切な移動経路で）移動することを可能にする形態で、キックボードにより支持されることができる。好ましくは、印アセンブリ１０８は、上述の火花アセンブリの形態と同様に、印部分１００および印カートリッジ１０２を含む。印カートリッジ１０２は、走行面に摩擦抵抗する時に、走行面に印を生成する。好ましい形態においては、印カートリッジ１０２は、走行面に摩擦接触する時に印を形成するように構成されている印部材１０４を支持する本体１０３を含む。好ましくは、印アセンブリ１０８は、火花生成キックボードのさまざまな形態において上述したように、キックボードの本体により支持されることができる。
【００３０】
図に示すように、印カートリッジ１０２は、火花アセンブリの実施形態において上述したように、印アセンブリ１０８の他の構成部品の間で支持部材として機能することができる。望ましくは、印アセンブリ１０８は、上述したように、２つの枠部材４０および足作動部分３２を含む。印アセンブリ１０８は、上述したように印カートリッジ１０２におけるＬ字形状の窪みに対応するＬ字形状の部分を含むこともできる。印カートリッジ１０２は、スライド可能に枠部材４０および印アセンブリ１０８に連結されるときに、上述したように、留め金具により強固に所定の位置に保持されることができる。好ましくは、印アセンブリ１０８は、足作動部分３２の一部分として足パッドまたは踏み棒４４を含み、キックボードの制御を行ないながら、使用者が踏み棒４４を押圧することにより印アセンブリ１０８を作動することができるように構成されている。
【００３１】
１つの実施形態においては、チョークまたは他の印をつける材料または装置が、本体１０３に配置され、または印部分１００に連結されることができる。好ましい形態においては、印アセンブリ１０８が係合するときに、チョークまたは他の印材料は、走行面に印を残す。好ましくは、チョークまたは印材料は、印部材１０４として印カートリッジ１０２において少なくとも部分的にとり囲まれることができる形状に構成されている。印部材は、チョークを含むことができるが、チョークに限られず、炭素棒、ワックス、クレヨン、ペンキ、炭、着色顔料または走行面に摩擦接触したときに印を残す任意の他の材料のような任意の種類の印材料を含むことができる。印アセンブリ１０８が係合したときに走行面に複数の色が生成されるように、印カートリッジ１０２の内部に、異なる色のチョークまたは異なる色の印部材１０４を配置することができる。好ましい形態においては、印部材１０４は、チョークを含み、印カートリッジ１０２における窪みの内側に適合するように構成されている。印部材１０４は、摩擦による嵌め合い、固着、または他の保持機構の方法により、印カートリッジ１０２の内部に構成されていてもよい。印カートリッジ１０２および／または印部材１０４は、取り替え可能に構成することができる。もう１つの好ましい形態においては、印部材１０４は、鉛筆および色鉛筆と同様に、保持材または第２の材料により少なくとも部分的にとり囲まれているチョーク１０６または他の印材料の部分を含む。好ましくは、保持材または第２の材料は、木、木材、プラスチックまたは他の材料のような材料を含むことができる。好ましくは、保持材または第２の材料は、印をつける物ではなく、しかし、ある実施形態では、印をつけることができる。
【００３２】
図６は、図１において説明されるようにキックボードの本体２０により支持されている図５の印アセンブリ１０８を説明する。説明された形態において、使用者が踏み棒４４に圧力を加えることにより足作動部分３２を作動させるときに、印部分１００および特に印カートリッジ１０２が走行面に接触するように、火花アセンブリ３０が回転するように、枠部材４０が、キックボードの本体２０に回転可能に連結されている。図６は、印部材１０４が走行面に摩擦接触する時に、走行面に印１１０が生成されることも説明している。代替的に、印アセンブリ１０８は、印および火花の両方を生成する部材を含むことができる。１つの実施形態においては、印アセンブリ１０８は、いくつかの印部材１０４と、いくつかの火花生成部材とを含む。好ましくは、キックボードは、火花装置の実施形態に関連して上述された幾つかのまたは全ての実施形態の特徴を含むことができる。
【００３３】
ここで示された発明は、ある種の好ましい実施形態および例の関連で開示されているが、発明は特定的に開示されている実施形態を超えて他の代替的な実施形態、および／または、発明の使用および明らかな改変およびそれの均等物まで広がっていることが当業者により理解されるであろう。このように、ここで開示されている発明の範囲は、上述された特定の実施形態に限定されるべきではなく、請求の範囲の公平な解釈によってのみ定められるべきであることが意図されている。
【符号の説明】
【００３４】
２０    本体
２２    車輪
２４    操作レバーアセンブリ
２５    ヘッドチューブ
２６    デッキ
２８    回動機構
２９    支持アセンブリ
３０    火花アセンブリ
３２    足作動部分
３４    火花部分
３５    トーションバネ
４０    枠部材
４２    カートリッジ
４３    火花部材
４４    踏み棒
４６    留め金具
４８    Ｌ字部分
５０    軸
５４    摩耗指示器
１００    印部分
１０２    カートリッジ
１０３    本体
１０４    印部材
１０６    チョーク
１０８    アセンブリ
１１０    印
【図１】
2010099476.tif 000003
【図２】
2010099476.tif 000004
【図３】
2010099476.tif 000005
【図４】
2010099476.tif 000006
【図５】
2010099476.tif 000007
【図６】
2010099476.tif 000008